(57)【要約】      （修正有）【課題】画像の表示と音声の再生が同期した広告動画を容易に作成することのできる広告動画作成システムを提供する。【解決手段】広告動画作成システム１では、タイトル画像データとタイトル音声データを用いて作成されたタイトルカットと、エンディング画像データとエンディング音声データを用いて作成されたエンディングカットと、テンプレート画像データとテンプレート音声データを用いて作成された複数の広告カットと、で構成されるテンプレート動画が作成される。各広告カットについて、広告画像データと広告音声用テキストが入力されると、テンプレート画像データが広告画像データに置換され、テンプレート音声データが広告音声データに置換されて、テンプレート動画から広告動画が作成され、プレビュー表示される。広告画像データの置換や広告音声データの置換にエラーが発生した場合にエラー通知が行われる。【選択図】図１
2020202416.tif 000002
【特許請求の範囲】
【請求項１】
複数のカットで構成される広告動画を作成する広告動画作成システムであって、
前記複数のカットには、最初に再生されるタイトルカットと、最後に再生されるエンディングカットと、前記タイトルカットと前記エンディングカットの間に再生される複数の広告カットとが含まれ、
前記広告動画作成システムは、
タイトル画像データとタイトル音声データが入力されるタイトル入力部と、
エンディング画像データとエンディング音声データが入力されるエンディング入力部と、
前記タイトル画像データと前記タイトル音声データを用いて作成された前記タイトルカットと、前記エンディング画像データと前記エンディング音声データを用いて作成された前記エンディングカットと、所定のテンプレート画像データと所定のテンプレート音声データを用いて作成された前記複数の広告カットと、で構成されるテンプレート動画を作成するテンプレート作成部と、
前記複数の広告カットの各々に用いられる広告画像データと広告音声データが入力される広告入力部と、
前記複数の広告カットの各々について、前記テンプレート画像データを前記広告入力部から入力された前記広告画像データに置換し、前記テンプレート音声データを前記広告入力部から入力された前記広告音声データに置換して、前記テンプレート動画から広告動画を作成する広告置換部と、
前記広告カット置換部で作成された前記広告動画をプレビュー表示するプレビュー表示部と、
前記広告画像データの置換または前記広告音声データの置換にエラーが発生した場合にエラー通知を行うエラー通知部と、
を備えることを特徴とする広告動画作成システム。
【請求項２】
前記タイトル入力部には、前記タイトル音声データとしてタイトル音声用テキストが入力され、
前記エンディング入力部には、前記エンディング音声データとしてエンディング音声用テキストが入力され、
前記テンプレート作成部では、前記タイトル音声用テキストから自動変換されたタイトル音声データを用いて前記タイトルカットが作成され、前記エンディング音声用テキストから自動変換されたエンディング音声データを用いて前記エンディングカットが作成され、
前記広告入力部には、前記複数の広告カットの各々について、前記広告音声データとして広告音声用テキストが入力され、
前記広告置換部では、前記複数の広告カットの各々について、前記テンプレート音声データを前記広告音声用テキストから自動変換された広告音声データに置換して、前記広告動画が作成される、請求項１に記載の広告動画作成システム。
【請求項３】
前記エラー通知部は、前記広告画像データの画像サイズが所定の上限サイズより大きい場合に前記エラー通知を行う、請求項１または請求項２に記載の広告動画作成システム。
【請求項４】
前記エラー通知部は、前記広告音声データの再生時間が所定の上限時間より長い場合に前記エラー通知を行う、請求項１から請求項３のいずれかに記載の広告動画作成システム。
【発明の詳細な説明】
【技術分野】
【０００１】
本発明は、複数のカットで構成される広告動画を作成する広告動画作成システムに関する。
【背景技術】
【０００２】
従来から、様々な動画を自動で作成するシステムが提案されている。例えば、合成用のテンプレート動画データに、入力された画像データを合成することによって、合成動画を作成するシステムが提案されている（例えば特許文献１参照）。
【先行技術文献】
【特許文献】
【０００３】
【特許文献１】特開２０１７−９８８００号公報
【発明の概要】
【発明が解決しようとする課題】
【０００４】
新聞の折込チラシは来店誘因への効果が高いため、折込チラシの画像を利用した広告動画を作成することが望まれる。そこで、折込チラシの画像データを用いて広告動画を作成することを、単に映像作成業者に依頼することも考えられる。しかし、折込チラシは、制作に時間がかかりチェック回数も多いため、折込チラシ自体の完成が期限ぎりぎりになることも少なくない。一方、映像作成業者に広告動画の作成を依頼した場合には、通常、広告動画の完成までにかなりの時間がかかる。そのため、完成した折込チラシの画像データを用いた広告動画を映像作成業者に作成してもらうのは、スケジュール的に極めて困難である。また、映像作成業者に広告動画の作成を依頼した場合には、通常、かなりの費用が必要になる。
【０００５】
そこで、画像データ（例えば、折込チラシの画像データ）を用いた広告動画を容易に作成できるシステムの開発が望まれていた。しかしながら、従来のシステムにおいては、広告動画の作成については、何ら考慮されていない。特に、画像の表示と音声の再生が同期した広告動画を容易に作成することについては、まったく考慮されていない。
【０００６】
本発明は、上記の課題に鑑みてなされたもので、画像データを用いた広告動画を容易に作成することができ、特に、画像の表示と音声の再生が同期した広告動画を容易に作成することができる広告動画作成システムを提供することを目的とする。
【課題を解決するための手段】
【０００７】
本発明の広告動画作成システムは、複数のカットで構成される広告動画を作成する広告動画作成システムであって、前記複数のカットには、最初に再生されるタイトルカットと、最後に再生されるエンディングカットと、前記タイトルカットと前記エンディングカットの間に再生される複数の広告カットとが含まれ、前記広告動画作成システムは、タイトル画像データとタイトル音声データが入力されるタイトル入力部と、エンディング画像データとエンディング音声データが入力されるエンディング入力部と、前記タイトル画像データと前記タイトル音声データを用いて作成された前記タイトルカットと、前記エンディング画像データと前記エンディング音声データを用いて作成された前記エンディングカットと、所定のテンプレート画像データと所定のテンプレート音声データを用いて作成された前記複数の広告カットと、で構成されるテンプレート動画を作成するテンプレート作成部と、前記複数の広告カットの各々に用いられる広告画像データと広告音声データが入力される広告入力部と、前記複数の広告カットの各々について、前記テンプレート画像データを前記広告入力部から入力された前記広告画像データに置換し、前記テンプレート音声データを前記広告入力部から入力された前記広告音声データに置換して、前記テンプレート動画から広告動画を作成する広告置換部と、前記広告カット置換部で作成された前記広告動画をプレビュー表示するプレビュー表示部と、前記広告画像データの置換または前記広告音声データの置換にエラーが発生した場合にエラー通知を行うエラー通知部と、を備えている。
【０００８】
この構成によれば、タイトル画像データとタイトル音声データ（タイトルカットの作成に用いられる）、エンディング画像データとエンディング音声データ（エンディングカットの作成に用いられる）を入力すると、テンプレート動画が作成される。テンプレート動画では、テンプレート画像データとテンプレート音声データを用いて複数の広告カット（例えば３つの広告カット）が作成される。その後、複数の広告カットの各々について、広告画像データと広告音声データを入力すると、各広告カットのテンプレート画像データとテンプレート音声データの置換が行われ、テンプレート動画から広告動画が作成され、プレビュー表示される。このとき、テンプレート画像データの置換またはテンプレート音声データの置換にエラーが発生するとエラー通知が行われる。このようにして、広告動画を作成するときにエラーの発生の有無を確認することができるので、広告カットが適切な広告動画（エラーのない広告動画）を容易に作成することができる。
【０００９】
この場合、広告動画が複数のカット（タイトルカット、複数の広告カット、エンディングカット）に分割（カット割り）されており、各カットごとに画像データと音声データが用意されるので、広告動画の画像の表示と音声の再生をカット単位で同期させることが容易である。すなわち、各カットごとに画像の表示が開始されるタイミングで音声の再生を開始することにより、画像の表示と音声の再生をカット単位で容易に同期させることができる。このようにして、画像の表示と音声の再生が同期した広告動画を容易に作成することができる。
【００１０】
また、本発明の広告動画作成システムでは、前記タイトル入力部には、前記タイトル音声データとしてタイトル音声用テキストが入力され、前記エンディング入力部には、前記エンディング音声データとしてエンディング音声用テキストが入力され、前記テンプレート作成部では、前記タイトル音声用テキストから自動変換されたタイトル音声データを用いて前記タイトルカットが作成され、前記エンディング音声用テキストから自動変換されたエンディング音声データを用いて前記エンディングカットが作成され、前記広告入力部には、前記複数の広告カットの各々について、前記広告音声データとして広告音声用テキストが入力され、前記広告置換部では、前記複数の広告カットの各々について、前記テンプレート音声データを前記広告音声用テキストから自動変換された広告音声データに置換して、前記広告動画が作成されてもよい。
【００１１】
この構成によれば、入力されたタイトル音声用テキストから自動変換されたタイトル音声データを用いてタイトルカットが作成され、入力されたエンディング音声用テキストから自動変換されたエンディング音声データを用いてエンディングカットが作成される。そして、入力された広告音声用テキストから自動変換された広告音声データを用いて（テンプレート音声データを広告音声データに置換して）広告動画が作成される。このように、各カットの音声を音声用テキスト（テキスト形式）で入力すれば、音声用テキストから音声データに自動変換されるので、広告動画を容易に作成することができる。この場合、各カットの音声用テキストを編集（音声用テキストの長さを調整）することにより、各カットの音声の再生時間を容易に変更することができる。
【００１２】
また、本発明の広告動画作成システムでは、前記エラー通知部は、前記広告画像データの画像サイズが所定の上限サイズより大きい場合に前記エラー通知を行ってもよい。
【００１３】
この構成によれば、広告画像データの画像サイズが大きすぎる場合にはエラー通知が行われる。これにより、入力した広告画像データの画像サイズが適切であるか否かを確認することができる。
【００１４】
また、本発明の広告動画作成システムでは、前記エラー通知部は、前記広告音声データの再生時間が所定の上限時間より長い場合に前記エラー通知を行ってもよい。
【００１５】
この構成によれば、広告音声データの再生時間が長すぎる場合にはエラー通知が行われる。これにより、入力した広告音声用テキストの長さが適切であるか否かを確認することができる。
【発明の効果】
【００１６】
本発明によれば、画像データを用いた広告動画を容易に作成することができる。特に、画像の表示と音声の再生が同期した広告動画を容易に作成することができる。
【図面の簡単な説明】
【００１７】
【図１】本発明の実施の形態における広告動画作成システムのブロック図である。
【図２】本発明の実施の形態における広告動画のカット割りの説明図である。
【図３】本発明の実施の形態におけるプレビュー表示（エラー通知）の説明図である。
【図４】本発明の実施の形態における広告動画作成システムの動作説明のためのフロー図である。
【発明を実施するための形態】
【００１８】
以下、本発明の実施の形態の広告動画作成システムについて、図面を用いて説明する。本実施の形態では、折込チラシの画像を利用した広告動画の作成等に用いられる広告動画作成システムの場合を例示する。
【００１９】
本発明の実施の形態の広告動画作成システムの構成を、図面を参照して説明する。図１は、本実施の形態の広告動画作成システムを示すブロック図である。図１に示すように、広告動画作成システム１は、インターネットなどのネットワーク２を介して、広告動画を作成するユーザのユーザ端末３に接続されている。なお、図１では、説明の便宜のため、広告動画作成システム１に接続されるユーザ端末３が１台しか図示されていないが、広告動画作成システム１が複数のユーザ端末３と接続できることは言うまでもない。広告動画作成システム１は、例えばサーバ等で構成される。
【００２０】
ここで、図２を参照して、広告動画について説明する。図２に示すように、広告動画は、複数のカットで構成される。複数のカットには、最初に再生されるタイトルカット（カット１）と、最後に再生されるエンディングカット（カット５）と、タイトルカットとエンディングカットの間に再生される複数の広告カット（カット２〜４）が含まれる。例えば、タイトルカットとエンディングカットの長さ（再生時間）は、２．５秒であり、広告カット１〜３の長さ（再生時間）は、それぞれ３．５秒である。
【００２１】
各カットのデータには、再生される画像のデータと、再生される音声のデータが含まれる。後述するように、再生される画像のデータは、ユーザ端末３から画像形式のデータとして入力され、再生される音声のデータは、ユーザ端末３からテキスト形式のデータとして入力される（図３参照）。
【００２２】
例えば、タイトルカットの画像（タイトル画像）は、特売や限定セールの広告画像などであり、タイトルカットの音声（タイトル音声）は、その特売や限定セールのタイトルコールなどである。また、広告カットの画像（広告画像）は、特売や限定セールの対象の商品画像などであり、広告カットの音声（広告音声）は、その商品説明などである。また、エンディングカットの画像（エンディング画像）は、特売や限定セールを行うスーパーやデパートの広告画像などであり、エンディングカットの音声（エンディング音声）は、そのスーパーやデパートの店名コールなどである。
【００２３】
図１に戻って広告動画作成システム１の構成の説明を続ける。図１に示すように、広告動画作成システム１は、タイトル入力部１０、エンディング入力部１１、テンプレート作成部１２、記憶部１３、広告入力部１４、広告置換部１５、プレビュー表示部１６、エラー通知部１７を備えている。
【００２４】
タイトル入力部１０には、ユーザ端末３から入力されたタイトル画像データとタイトル音声データが入力される。また、エンディング入力部１１には、ユーザ端末３から入力されたエンディング画像データとエンディング音声データが入力される。本実施の形態では、タイトル入力部１０には、タイトル音声データとしてタイトル音声用テキストが入力され、エンディング入力部１１には、エンディング音声データとしてエンディング音声用テキストが入力される（図３参照）。
【００２５】
テンプレート作成部１２では、タイトル画像データとタイトル音声データを用いて作成されたタイトルカットと、エンディング画像データとエンディング音声データを用いて作成されたエンディングカットと、所定のテンプレート画像データと所定のテンプレート音声データを用いて作成された複数の広告カットと、で構成されるテンプレート動画が作成される。本実施の形態のテンプレート作成部１２では、タイトル音声用テキストから自動変換されたタイトル音声データを用いてタイトルカットが作成され、エンディング音声用テキストから自動変換されたエンディング音声データを用いてエンディングカットが作成される（図３参照）。
【００２６】
作成されたテンプレート動画は、記憶部１３に記憶され、ユーザ端末３からダウンロード可能になる。広告入力部１４には、ユーザ端末３から入力された、複数の広告カットの各々に用いられる広告画像データと広告音声データが入力される。本実施の形態では、広告入力部１４には、複数の広告カットの各々について、広告音声データとして広告音声用テキストが入力される（図３参照）。
【００２７】
広告置換部１５では、複数の広告カットの各々について、テンプレート画像データを広告入力部１４から入力された広告画像データに置換し、テンプレート音声データを広告入力部１４から入力された広告音声データに置換して、テンプレート動画から広告動画が作成される。本実施の形態の広告置換部１５では、複数の広告カットの各々について、テンプレート音声データを広告音声用テキストから自動変換された広告音声データに置換して、広告動画が作成される。
【００２８】
プレビュー表示部１６は、広告カット置換部で作成された広告動画をユーザ端末３にプレビュー表示するための機能を備えている（図３参照）。また、エラー通知部１７は、広告画像データの置換または広告音声データの置換にエラーが発生した場合にエラー通知を行う機能を備えている（図３参照）。例えば、エラー通知部１７は、広告画像データの画像サイズが所定の上限サイズより大きい場合にエラー通知を行い、広告音声データの再生時間が所定の上限時間より長い場合にエラー通知を行う機能を備えている。上限サイズは、例えば画面解像度（ＸＧＡやＷＸＧＡ）などで設定される。また、上限時間は、そのカットの長さ（再生時間）などに設定される。
【００２９】
図３は、プレビュー表示（エラー通知）の説明図である。図３に示すように、ユーザ端末３から入力された画像は、プレビュー表示の「入力画像」の欄に画像として表示される。また、ユーザ端末３から入力された音声テキストは、プレビュー表示の「入力音声テキスト」の欄にテキストとして表示される。そして、入力した広告画像データの画像サイズが所定の上限サイズより大きい場合には、プレビュー表示の「チェック」の欄に「画像エラー」を示すエラー通知が行われる。また、入力した広告音声データの再生時間が所定の上限時間より長い場合には、プレビュー表示の「チェック」の欄に「音声エラー」を示すエラー通知が行われる。広告画像データの置換や広告音声データの置換にエラーが発生しない場合には、プレビュー表示の「チェック」の欄に「○」が表示され、エラー通知は行われない。
【００３０】
以上のように構成された広告動画作成システム１について、図４のフロー図を参照してその動作を説明する。
【００３１】
本実施の形態の広告動画作成システム１で、折込チラシの画像を利用した広告動画の作成をする場合には、まず、タイトル画像（特売や限定セールの広告画像など）とタイトル音声（特売や限定セールのタイトルコールなど）をユーザ端末３から入力し（Ｓ１）、次に、エンディング画像（特売や限定セールを行うスーパーやデパートの広告画像など）とエンディング音声（スーパーやデパートの店名コールなど）をユーザ端末３から入力する（Ｓ２）。
【００３２】
そうすると、テンプレート作成部１２で、タイトル画像データとタイトル音声データを用いて作成されたタイトルカットと、エンディング画像データとエンディング音声データを用いて作成されたエンディングカットと、所定のテンプレート画像データと所定のテンプレート音声データを用いて作成された複数の広告カット（例えば、広告カット１〜３）と、で構成されたテンプレート動画が作成され、記憶部１３に保存される（Ｓ３）。
【００３３】
次に、ユーザ端末３から、広告動画作成システム１の記憶部１３に保存されたテンプレート動画をダウンロードし、複数の広告カット（広告カット１〜３）の各々に用いられる広告画像データ（商品画像１〜３など）と広告音声データ（商品説明１〜３）を入力する（Ｓ４）。
【００３４】
そうすると、広告置換部１５で、複数の広告カット（広告カット１〜３）の各々について、テンプレート画像データを広告入力部１４から入力された広告画像データ（商品画像１〜３）に置換し、テンプレート音声データを広告入力部１４から入力された広告音声データ（商品説明１〜３）に置換して、テンプレート動画から広告動画が作成され、プレビュー表示される（Ｓ５）。
【００３５】
そして、広告画像データの置換または広告音声データの置換にエラーが発生したか否かの判定が行われ（Ｓ６）、エラーが発生した場合には、ユーザ端末３にエラー通知が行われる（Ｓ７）。エラー通知を受けたユーザは、ユーザ端末３から、エラー通知を受けた広告画像データ（商品画像１〜３）または広告音声データ（商品説明１〜３）の修正（あるいは再入力）を行う（Ｓ８）。エラーが発生しない場合（あるいは、修正により発生しなくなった場合）には、広告置換部１５で作成された広告動画が記憶部１３に保存される（Ｓ９）。
【００３６】
このような本実施の形態の広告動画作成システム１によれば、タイトル画像データとタイトル音声データ（タイトルカットの作成に用いられる）、エンディング画像データとエンディング音声データ（エンディングカットの作成に用いられる）を入力すると、テンプレート動画が作成される。テンプレート動画では、テンプレート画像データとテンプレート音声データを用いて複数の広告カット（例えば、３つの広告カット）が作成される。その後、複数の広告カットの各々について、広告画像データと広告音声データを入力すると、各広告カットのテンプレート画像データとテンプレート音声データの置換が行われ、テンプレート動画から広告動画が作成される。このとき、テンプレート画像データの置換またはテンプレート音声データの置換にエラーが発生するとエラー通知が行われる。このようにして、広告動画を作成するときにエラーの発生の有無を確認することができるので、広告カットが適切な広告動画（エラーのない広告動画）を容易に作成することができる。
【００３７】
この場合、広告動画が複数のカット（タイトルカット、複数の広告カット、エンディングカット）に分割（カット割り）されており、各カットごとに画像データと音声データが用意されるので、広告動画の画像の表示と音声の再生をカット単位で同期させることが容易である。すなわち、各カットごとに画像の表示が開始されるタイミングで音声の再生を開始することにより、画像の表示と音声の再生をカット単位で容易に同期させることができる。このようにして、画像の表示と音声の再生が同期した広告動画を容易に作成することができる。
【００３８】
また、本実施の形態では、入力されたタイトル音声用テキストから自動変換されたタイトル音声データを用いてタイトルカットが作成され、入力されたエンディング音声用テキストから自動変換されたエンディング音声データを用いてエンディングカットが作成される。そして、入力された広告音声用テキストから自動変換された広告音声データを用いて（テンプレート音声データを広告音声データに置換して）広告動画が作成される。このように、各カットの音声を音声用テキスト（テキスト形式）で入力すれば、音声用テキストから音声データに自動変換されるので、広告動画を容易に作成することができる。この場合、各カットの音声用テキストを編集（音声用テキストの長さを調整）することにより、各カットの音声の再生時間を容易に変更することができる。
【００３９】
また、本実施の形態では、広告画像データの画像サイズが大きすぎる場合にはエラー通知が行われる。これにより、入力した広告画像データの画像サイズが適切であるか否かを確認することができる。
【００４０】
また、本実施の形態では、広告音声データの再生時間が長すぎる場合にはエラー通知が行われる。これにより、入力した広告音声用テキストの長さが適切であるか否かを確認することができる。
【００４１】
以上、本発明の実施の形態を例示により説明したが、本発明の範囲はこれらに限定されるものではなく、請求項に記載された範囲内において目的に応じて変更・変形することが可能である。
【産業上の利用可能性】
【００４２】
以上のように、本発明にかかる広告動画作成システムは、画像の表示と音声の再生が同期した広告動画を容易に作成することができるという効果を有し、折込チラシの画像を利用した広告動画の作成等に用いられ、有用である。
【符号の説明】
【００４３】
１  広告動画作成システム
２  ネットワーク
３  ユーザ端末
１０  タイトル入力部
１１  エンディング入力部
１２  テンプレート作成部
１３  記憶部
１４  広告入力部
１５  広告置換部
１６  プレビュー表示部
１７  エラー通知部
【図１】
2020202416.tif 000003
【図２】
2020202416.tif 000004
【図３】
2020202416.tif 000005
【図４】
2020202416.tif 000006